(57)【要約】【課題】記録媒体の種類毎に記録媒体の再生を制限する曜日及び／又は時間帯を設定して、記録媒体の種類毎の再生を制限することができるようにする。【解決手段】記録媒体の種類毎に記録媒体の再生を禁止又は許可する曜日及び／又は時間帯を設定して、設定された記録媒体の種類毎の再生制限情報を記憶し、カレンダ時計により出力される曜日／時刻情報と記憶されている記録媒体の種類毎の再生制限情報とに応じて記録媒体の種類毎の再生を制御するフラグを設定して、記録媒体の再生が指令されたとき、当該記録媒体の再生を制御するフラグに基づいて記録媒体の再生を制御し、当該記録媒体の再生を制御するフラグに応じて当該記録媒体の再生が制限されていることを表示するようにする。【選択図】　　　　図１
0003098619.tif 000002
【実用新案登録請求の範囲】
【請求項１】
複数種類の記録媒体を再生するマルチ再生装置であって、記録媒体の種類毎に記録媒体の再生を禁止又は許可する曜日及び／又は時間帯を設定する再生制限設定手段と、前記再生制限設定手段により設定された再生制限情報を記憶する記憶手段と、曜日／時刻情報を出力するカレンダ時計手段と、前記カレンダ時計手段により出力される曜日／時刻情報と前記記憶手段に記憶されている再生制限情報とに応じて記録媒体の種類毎の再生を禁止又は許可するフラグを設定するフラグ設定手段と、記録媒体の再生を指令する再生指令手段と、前記再生指令手段により記録媒体の再生が指令されたとき、当該記録媒体の再生を禁止するフラグが設定されている場合、当該記録媒体の再生を禁止し、当該記録媒体の再生を許可するフラグが設定されている場合、当該記録媒体の再生を実行するとともに、記録媒体の再生中に、当該記録媒体の再生を禁止するフラグが設定されたとき、当該記録媒体の再生を停止する再生制御手段と、前記再生指令手段により記録媒体の再生が指令されたときに、当該記録媒体の再生を禁止するフラグが設定されている場合、当該記録媒体の再生が禁止されていることを表示する表示手段とを備えたことを特徴とするマルチ再生装置。
【請求項２】
複数種類の記録媒体を再生するマルチ再生装置であって、記録媒体の種類毎に記録媒体の再生を制限する再生制限情報を設定する再生制限設定手段と、前記再生制限設定手段により設定された再生制限情報を記憶する記憶手段と、曜日／時刻情報を出力するカレンダ時計手段と、前記カレンダ時計手段により出力される曜日／時刻情報と前記記憶手段に記憶されている再生制限情報とに応じて記録媒体の種類毎の再生を制御するフラグを設定するフラグ設定手段と、記録媒体の再生を指令する再生指令手段と、前記再生指令手段により記録媒体の再生が指令されたとき、当該記録媒体の再生を制御するフラグに基づいて当該記録媒体の再生を制御する再生制御手段と、前記再生指令手段により記録媒体の再生が指令されたとき、当該記録媒体の再生を制御するフラグに応じて当該記録媒体の再生が制限されていることを表示する表示手段とを備えたことを特徴とするマルチ再生装置。
【請求項３】
前記再生制限設定手段は、記録媒体の種類毎に記録媒体の再生を禁止する曜日及び／又は時間帯を設定する再生制限設定手段であることを特徴とする請求項２記載のマルチ再生装置。
【請求項４】
前記再生制限設定手段は、記録媒体の種類毎に記録媒体の再生を許可する曜日及び／又は時間帯を設定する再生制限設定手段であることを特徴とする請求項２記載のマルチ再生装置。
【請求項５】
前記再生制御手段は、前記再生指令手段により記録媒体の再生が指令されたとき、当該記録媒体の再生を禁止するフラグが設定されている場合、当該記録媒体の再生を禁止する再生制御手段であることを特徴とする請求項２記載のマルチ再生装置。
【請求項６】
前記再生制御手段は、前記再生指令手段により記録媒体の再生が指令されたとき、当該記録媒体の再生を許可するフラグが設定されている場合、当該記録媒体の再生を実行する再生制御手段であることを特徴とする請求項２記載のマルチ再生装置。
【請求項７】
前記再生制御手段は、記録媒体の再生中に、当該記録媒体の再生を禁止するフラグが設定されたとき、当該記録媒体の再生を停止する再生制御手段であることを特徴とする請求項２記載のマルチ再生装置。
【考案の詳細な説明】
【０００１】
【考案の属する技術分野】本考案は、複数種類の光ディスク、ビデオカセット等の記録媒体を再生するマルチ再生装置に係り、特に記録媒体の種類毎に再生を制限する機能を有するマルチ再生装置に関する。
【０００２】
【従来の技術】従来の技術としては、所定の記録単位毎にユーザ操作の可否制御情報が記録されている記録媒体から、その再生を開始する前に各記録単位の可否制御情報を読み出し、読み出した可否制御情報に基づいて、他の再生部分への頭出しを行う操作が禁止されている再生部分であるとき、ランダム再生の再生対象から除外し、他の再生部分への頭出し操作が禁止されている再生部分であるとき、その再生部部のあらすじ再生を行わずに、その次の再生部分の再生に移行し、リピート再生の範囲の最後の再生部分が他の再生部分への頭出しが禁止されている再生部分であるとき、リピート再生の指示を受け付けないようにしたものがあった（例えば、特許文献１参照）。
【０００３】また、ランダムアクセス可能な記録媒体にデジタル記録された動画情報に基づいて動画を再生し、再生された動画に対して所定の視聴制限レベルを設定して、視聴制限レベルと記録媒体が有する所定の識別子とを対応させて格納するとともに、視聴を制限する所定の元視聴制限レベルを格納し、格納された元視聴制限レベルと視聴制限レベルとを比較して、視聴制限レベルが元視聴制限レベル以上であるとき、再生される動画の視聴を不可能にするようにしたものがあった（例えば、特許文献２参照）。
【０００４】また、記録媒体に記録された情報の再生を制限する再生制限レベル情報を時刻情報と対応させて記憶し、電波時計から出力される時刻情報に応じて、時刻情報と対応して記憶されている情報の再生制限レベル情報と記録媒体から読み出された情報の再生制限レベル情報とを比較して、その比較結果に基づいて記録媒体に記録された情報の再生を制御するようにしたものがあった（例えば、特許文献３参照）。
【０００５】
【特許文献１】特開２００２−２６９７５４号公報
【特許文献２】特開２０００−２８７１５５号公報
【特許文献３】特開２００１−２５１５８２号公報
【０００６】
【考案が解決しようとする課題】しかしながら、従来の技術で述べたもののうち最初のものにおいては、所定の記録単位毎にユーザ操作の可否制御情報が記録されている記録媒体から、その再生を開始する前に各記録単位の可否制御情報を読み出し、読み出した可否制御情報に基づいて、他の再生部分への頭出しを行う操作が禁止されている再生部分であるとき、ランダム再生の再生対象から除外し、他の再生部分への頭出し操作が禁止されている再生部分であるとき、その再生部部のあらすじ再生を行わずに、その次の再生部分の再生に移行し、リピート再生の範囲の最後の再生部分が他の再生部分への頭出しが禁止されている再生部分であるとき、リピート再生の指示を受け付けないようにすることができたが、記録媒体の種類毎に再生を制限する曜日及び／又は時間帯を設定して、記録媒体の種類毎の再生を制限するようにしたものではなかった。
【０００７】また、次のものにおいては、ランダムアクセス可能な記録媒体にデジタル記録された動画情報に基づいて動画を再生し、再生された動画に対して所定の視聴制限レベルを設定して、視聴制限レベルと記録媒体が有する所定の識別子とを対応させて格納するとともに、視聴を制限する所定の元視聴制限レベルを格納し、格納された元視聴制限レベルと視聴制限レベルとを比較して、視聴制限レベルが元視聴制限レベル以上であるとき、再生される動画の視聴を不可能にすることができたが、上記同様、記録媒体の種類毎に再生を制限する曜日及び／又は時間帯を設定して、記録媒体の種類毎の再生を制限するようにしたものではなかった。
【０００８】また、更に次のものにおいては、記録媒体に記録された情報の再生を制限する再生制限レベル情報を時刻情報と対応させて記憶し、電波時計から出力される時刻情報に応じて、時刻情報と対応して記憶されている情報の再生制限レベル情報と記録媒体から読み出された情報の再生制限レベル情報とを比較して、その比較結果に基づいて記録媒体に記録された情報の再生を制御することができたが、上記同様、記録媒体の種類毎に再生を制限する曜日及び／又は時間帯を設定して、記録媒体の種類毎の再生を制限するようにしたものではなかった。
【０００９】本考案は、従来の技術の有するこのような問題点に鑑みてなされたものであり、その目的とするところは、記録媒体の種類毎に記録媒体の再生を制限する曜日及び／又は時間帯を設定して、記録媒体の種類毎の再生を制限することができるマルチ再生装置を提供しようとするものである。
【００１０】
【課題を解決するための手段】上記目的を達成するために、本考案におけるマルチ再生装置は、複数種類の記録媒体を再生するマルチ再生装置であって、記録媒体の種類毎に記録媒体の再生を制限する再生制限情報を設定する再生制限設定手段と、前記再生制限設定手段により設定された再生制限情報を記憶する記憶手段と、曜日／時刻情報を出力するカレンダ時計手段と、前記カレンダ時計手段により出力される曜日／時刻情報と前記記憶手段に記憶されている再生制限情報とに応じて記録媒体の種類毎の再生を制御するフラグを設定するフラグ設定手段と、記録媒体の再生を指令する再生指令手段と、前記再生指令手段により記録媒体の再生が指令されたとき、当該記録媒体の再生を制御するフラグに基づいて当該記録媒体の再生を制御する再生制御手段と、前記再生指令手段により記録媒体の再生が指令されたとき、当該記録媒体の再生を制御するフラグに応じて当該記録媒体の再生が制限されていることを表示する表示手段とを備える。
【００１１】前記再生制限設定手段は、記録媒体の種類毎に記録媒体の再生を禁止する曜日及び／又は時間帯を設定するようにするとよい。
【００１２】また、前記再生制限設定手段は、記録媒体の種類毎に記録媒体の再生を許可する曜日及び／又は時間帯を設定するようにするとよい。
【００１３】前記再生制御手段は、前記再生指令手段により記録媒体の再生が指令されたとき、当該記録媒体の再生を禁止するフラグが設定されている場合、当該記録媒体の再生を禁止するようにするとよい。
【００１４】また、前記再生制御手段は、前記再生指令手段により記録媒体の再生が指令されたとき、当該記録媒体の再生を許可するフラグが設定されている場合、当該記録媒体の再生を実行するようにするとよい。
【００１５】また、前記再生制御手段は、記録媒体の再生中に、当該記録媒体の再生を禁止するフラグが設定されたとき、当該記録媒体の再生を停止するようにするとよい。
【００１６】上記のように構成することにより、記録媒体の種類毎に記録媒体の再生を制限する曜日及び／又は時間帯を設定して、記録媒体の種類毎の再生を制限することができる。
【００１７】
【考案の実施の形態】以下、適宜図面を参照しながら本考案の実施の形態を詳述する。図１は本考案の実施の形態に係るマルチ再生装置の構成を示すブロック図であり、図２は本考案の実施の形態に係るマルチ再生装置のリモコン装置を示す説明図であり、図３は本考案の実施の形態に係るマルチ再生装置の設定画面の一表示例を示す図であり、図４は本考案の実施の形態に係るマルチ再生装置の設定動作を示すフローチャートであり、図５は本考案の実施の形態に係るマルチ再生装置の再生動作を示すフローチャートであり、図６は本考案の実施の形態に係る他のマルチ再生装置の設定画面の一表示例を示す図であり、図７は本考案の実施の形態に係る他のマルチ再生装置の設定動作を示すフローチャートであり、図８は本考案の実施の形態に係る他のマルチ再生装置の再生動作を示すフローチャートである。
【００１８】まず、図１の本考案の実施の形態に係るマルチ再生装置の構成を示すブロック図を基に説明する。
【００１９】マルチ再生装置１０は、複数種類の記録媒体を再生する記録媒体再生部１１と、文字情報信号を映像信号に重畳して文字情報をモニタ装置３０の画面に表示するＯＳＤ（Ｏｎ−Ｓｃｒｅｅｎ　Ｃｈａｒａｃｔｅｒ　Ｄｉｓｐｌａｙ）回路１２と、曜日／時刻情報を出力するカレンダ時計１３と、マルチ再生装置１０のシステム全体を制御するマイコン１４と、各種設定情報を記憶する不揮発性メモリのＥＥＰＲＯＭ（Ｅｌｅｃｔｒｉｃａｌｌｙ　Ｅｒａｓａｂｌｅ　ａｎｄ　Ｐｒｏｇｒａｍｍａｂｌｅ　Ｒｅａｄ‐Ｏｎｌｙ　Ｍｅｍｏｒｙ）１５と、リモコン装置２０から送信された赤外線信号のリモコン信号を受信して、所定の電気信号に変換するリモコン受信部１６とで構成されている。
【００２０】また、リモコン装置２０には、図２に示すように、メニュ画面の表示を指令するメニュキー２０ａ、メニュ画面に表示された選択項目を選択する複数のカーソルキー２０ｂ、カーソルキー２０ｂにより選択された選択項目の選択を決定する決定キー２０ｃ、曜日／時刻等を入力するテンキー２０ｄ、記録媒体の再生を指令する再生キー２０ｅ等の各種操作キーが設けられていて、それらの操作キーを操作することにより、マルチ再生装置１０を所望動作させることができるようになっている。
【００２１】以上のように構成されたマルチ再生装置について、以下その動作について説明する。
【００２２】リモコン装置２０のメニュキー２０ａが操作され、メニュ画面の表示を指令する赤外線信号のリモコン信号がリモコン装置２０から送信されると、マルチ再生装置１０のリモコン受信部１６により受信され、所定の電気信号に変換されてマイコン１４に送出される。マイコン１４は、メニュキー２０ａのリモコン信号を受信すると、ＯＳＤ回路１２に文字情報信号と制御信号と送出して、メニュ画面をモニタ装置３０の画面に表示する（図示せず）。そして、リモコン装置２０のカーソルキー２０ｂと決定キー２０ｃとの操作によりメニュ画面の記録媒体の再生禁止設定が選択されると、マイコン１４は、ＯＳＤ回路１２に文字情報信号と制御信号と送出して、記録媒体の再生禁止設定の簡易設定画面をモニタ装置３０の画面３０ａに表示する（図３（ａ）参照）。なお、記録媒体の再生禁止設定の詳細設定を選択することにより、記録媒体の再生禁止設定の詳細設定画面（図３（ｂ）参照）に切り換えることができるようになっている。
【００２３】ユーザがリモコン装置２０のカーソルキー２０ｂと決定キー２０ｃとを操作してモニタ装置３０の画面３０ａに表示された記録媒体の再生禁止設定画面（図３参照）の複数種類の記録媒体を選択して、選択された記録媒体の再生を禁止する曜日及び／又は時間帯の設定をカーソルキー２０ｂと決定キー２０ｃとを操作するか、或いはテンキー２０ｄと決定キー２０ｃとを操作して入力すると、マイコン１４は、選択された記録媒体の再生を禁止する曜日及び／又は時間帯の設定の再生制限情報をＥＥＰＲＯＭ１５に記憶する。そして、マイコン１４は、カレンダ時計１３から出力される曜日／時刻情報とＥＥＰＲＯＭ１５に記憶されている記録媒体の種類毎の再生制限情報とに応じて記録媒体の種類毎の再生禁止フラグを設定、解除する。なお、モニタ装置３０の画面３０ａに表示されたメニュ画面の記録媒体の再生制限ＯＮ／ＯＦＦ設定（図示せず）を選択することにより、設定された記録媒体の再生の制限を有効、無効にすることができるようになっている。
【００２４】リモコン装置２０の再生キー２０ｅの操作により記録媒体の再生が指令されると、マイコン１４は、当該記録媒体の再生禁止フラグが設定されているか否かを判別して、記録媒体の再生禁止フラグが設定されていない場合、制御信号を記録媒体再生部１１に制御信号を送出して、記録媒体を再生し、ＯＳＤ回路１２を介して再生された映像音声信号をモニタ装置３０に出力する。記録媒体の再生中に、記録媒体の再生禁止フラグが設定されたとき、マイコン１４は、記録媒体の再生を停止して、ＯＳＤ回路１２に文字情報信号と制御信号と送出して、記録媒体の再生が禁止されていることをモニタ装置３０の画面３０ａに表示する。また、マイコン１４は、記録媒体の再生禁止フラグが設定されている場合、ＯＳＤ回路１２に文字情報信号と制御信号と送出して、記録媒体の再生が禁止されていることをモニタ装置３０の画面３０ａに表示する。
【００２５】なお、記録媒体の再生を禁止する曜日及び／又は時間帯を設定して、再生禁止フラグに基づいて記録媒体の再生を制御することを上記したが、記録媒体の再生を許可するする曜日及び／又は時間帯を設定して、カレンダ時計１３から出力される曜日／時刻情報とＥＥＰＲＯＭ１５に記憶されている記録媒体の種類毎の再生制限情報とに応じて記録媒体の種類毎の再生許可フラグを設定、解除し、再生許可フラグに基づいて記録媒体の再生を制御するようにしてもよい。
【００２６】また、図４の本考案の実施の形態に係るマルチ再生装置の設定動作を示すフローチャートを基に説明する。
【００２７】カーソルキーと決定キーとの操作によりメニュ画面の記録媒体の再生禁止設定が選択されると、ステップＳ１からステップＳ２に進み、カーソルキーと決定キーとの操作により詳細設定が選択されたか否かが判断され、詳細設定が選択された場合、ステップＳ３に進み、詳細設定が選択されていない場合、ステップＳ４に進む。
【００２８】ステップＳ３で、記録媒体の再生禁止設定の詳細設定画面がモニタ装置の画面に表示され（図３（ｂ）参照）、ステップＳ５に進む。
【００２９】ステップＳ４で、記録媒体の再生禁止設定の簡易設定画面がモニタ装置の画面に表示され（図３（ａ）参照）、ステップＳ５に進む。
【００３０】ステップＳ５で、カーソルキーと決定キーとの操作により、記録媒体の再生禁止設定画面に表示された複数種類の記録媒体のいずれか一つが選択されたか否かが判断され、複数種類の記録媒体のいずれか一つが選択された場合、ステップＳ６に進み、複数種類の記録媒体のいずれも選択されていない場合、ステップＳ９に進む。
【００３１】ステップＳ６で、選択された記録媒体の再生を禁止する曜日及び／又は時間帯の設定が入力されたか否かが判断され、選択された記録媒体の再生を禁止する曜日及び／又は時間帯の設定が入力された場合、ステップＳ７に進み、選択された記録媒体の再生を禁止する曜日及び／又は時間帯の設定が入力されていない場合、ステップＳ９に進む。
【００３２】ステップＳ７で、選択された記録媒体の再生を禁止する曜日及び／又は時間帯の設定を決定する決定キーが操作されたか否かが判断され、決定キーが操作された場合、ステップＳ８に進み、決定キーが操作されていない場合、ステップＳ９に進む。
【００３３】ステップＳ８で、選択された記録媒体の再生を禁止する曜日及び／又は時間帯の設定の再生制限情報がメモリに記憶され、ステップＳ９に進む。
【００３４】ステップＳ９で、カーソルキーと決定キーとの操作により記録媒体の再生禁止設定画面の設定終了が選択されたか否かが判断され、設定終了が選択された場合、ステップＳ１０に進んで処理を終了し、設定終了が選択されていない場合、ステップＳ２に戻って、ステップＳ２からのステップを繰り返す。
【００３５】また、図５の本考案の実施の形態に係るマルチ再生装置の再生動作を示すフローチャートを基に説明する。
【００３６】記録媒体の再生が指令されると、ステップＳ１１からステップＳ１２に進み、記録媒体の再生禁止フラグが設定されているか否かが判断され、記録媒体の再生禁止フラグが設定されている場合、ステップＳ１６に進み、記録媒体の再生禁止フラグが設定されていない場合、ステップＳ１３に進む。
【００３７】ステップＳ１３で、記録媒体が再生され、ステップＳ１４に進む。
【００３８】ステップＳ１４で、記録媒体の再生禁止フラグが設定されたか否かが判断され、記録媒体の再生禁止フラグが設定された場合、ステップＳ１５に進み、記録媒体の再生禁止フラグが設定されていない場合、ステップＳ１３に戻ってステップＳ１３からのステップを繰り返す。
【００３９】ステップＳ１５で、記録媒体の再生が停止され、ステップＳ１６に進む。
【００４０】ステップＳ１６で、記録媒体の再生が禁止されていることがモニタ装置の画面に表示され、ステップＳ１７に進んで処理を終了する。
【００４１】また、図７の本考案の実施の形態に係る他のマルチ再生装置の設定動作を示すフローチャートを基に説明する。
【００４２】カーソルキーと決定キーとの操作によりメニュ画面の記録媒体の再生許可設定が選択されると、ステップＳ２１からステップＳ２２に進み、カーソルキーと決定キーとの操作により詳細設定が選択されたか否かが判断され、詳細設定が選択された場合、ステップＳ２３に進み、詳細設定が選択されていない場合、ステップＳ２４に進む。
【００４３】ステップＳ２３で、記録媒体の再生許可設定の詳細設定画面がモニタ装置の画面に表示され（図６（ｂ）参照）、ステップＳ２５に進む。
【００４４】ステップＳ２４で、記録媒体の再生許可設定の簡易設定画面がモニタ装置の画面に表示され（図６（ａ）参照）、ステップＳ２５に進む。
【００４５】ステップＳ２５で、カーソルキーと決定キーとの操作により、記録媒体の再生許可設定画面に表示された複数種類の記録媒体のいずれか一つが選択されたか否かが判断され、複数種類の記録媒体のいずれか一つが選択された場合、ステップＳ２６に進み、複数種類の記録媒体のいずれも選択されていない場合、ステップＳ２９に進む。
【００４６】ステップＳ２６で、選択された記録媒体の再生を許可する曜日及び／又は時間帯の設定が入力されたか否かが判断され、選択された記録媒体の再生を許可する曜日及び／又は時間帯の設定が入力された場合、ステップＳ２７に進み、選択された記録媒体の再生を許可する曜日及び／又は時間帯の設定が入力されていない場合、ステップＳ２９に進む。
【００４７】ステップＳ２７で、選択された記録媒体の再生を許可する曜日及び／又は時間帯の設定を決定する決定キーが操作されたか否かが判断され、決定キーが操作された場合、ステップＳ２８に進み、決定キーが操作されていない場合、ステップＳ２９に進む。
【００４８】ステップＳ２８で、選択された記録媒体の再生を許可する曜日及び／又は時間帯の設定の再生制限情報がメモリに記憶され、ステップＳ２９に進む。
【００４９】ステップＳ２９で、カーソルキーと決定キーとの操作により記録媒体の再生許可設定画面の設定終了が選択されたか否かが判断され、設定終了が選択された場合、ステップＳ３０に進んで処理を終了し、設定終了が選択されていない場合、ステップＳ２２に戻って、ステップＳ２２からのステップを繰り返す。
【００５０】また、図８の本考案の実施の形態に係る他のマルチ再生装置の再生動作を示すフローチャートを基に説明する。
【００５１】記録媒体の再生が指令されると、ステップＳ３１からステップＳ３２に進み、記録媒体の再生許可フラグが設定されているか否かが判断され、記録媒体の再生許可フラグが設定されている場合、ステップＳ３３に進み、記録媒体の再生許可フラグが設定されていない場合、ステップＳ３６に進む。
【００５２】ステップＳ３３で、記録媒体が再生され、ステップＳ３４に進む。
【００５３】ステップＳ３４で、記録媒体の再生許可フラグが解除されたか否かが判断され、記録媒体の再生許可フラグが解除された場合、ステップＳ３５に進み、記録媒体の再生許可フラグが解除されていない場合、ステップＳ３３に戻ってステップＳ３３からのステップを繰り返す。
【００５４】ステップＳ３５で、記録媒体の再生が停止され、ステップＳ３６に進む。
【００５５】ステップＳ３６で、記録媒体の再生が許可されていないことがモニタ装置の画面に表示され、ステップＳ３７に進んで処理を終了する。
【００５６】
【考案の効果】以上説明してきたように、本考案によるマルチ再生装置によれば、記録媒体の種類毎に記録媒体の再生を禁止又は許可する曜日及び／又は時間帯を設定して、設定された記録媒体の種類毎の再生制限情報をＥＥＰＲＯＭに記憶し、カレンダ時計により出力される曜日／時刻情報とＥＥＰＲＯＭに記憶されている記録媒体の種類毎の再生制限情報とに応じて記録媒体の種類毎の再生禁止／許可フラグを設定、解除して、記録媒体の再生が指令されたとき、記録媒体の再生禁止フラグが設定されている場合、或いは記録媒体の再生許可フラグが解除されている場合、記録媒体の再生を禁止し、記録媒体の再生禁止フラグが解除されている場合、或いは記録媒体の再生許可フラグが設定されている場合、記録媒体の再生を実行し、記録媒体の再生中に、記録媒体の再生禁止フラグが設定されたとき、或いは記録媒体の再生許可フラグが解除されたとき、記録媒体の再生を停止し、記録媒体の再生が指令されたときに、記録媒体の再生禁止フラグが設定されている場合、或いは記録媒体の再生許可フラグが解除されている場合、記録媒体の再生が禁止されていることをモニタ装置の画面に表示することができる。このことにより、記録媒体の種類毎に記録媒体の再生を制限する曜日及び／又は時間帯を設定して、記録媒体の種類毎の再生を制限することができる。
【００５７】請求項１記載の考案に係るマルチ再生装置は、記録媒体の種類毎に記録媒体の再生を禁止又は許可する曜日及び／又は時間帯を設定して、設定された記録媒体の種類毎の再生制限情報を記憶し、曜日／時刻情報と記憶されている記録媒体の種類毎の再生制限情報とに応じて記録媒体の種類毎の再生を禁止又は許可するフラグを設定し、記録媒体の再生が指令されたとき、記録媒体の再生を禁止するフラグが設定されている場合、記録媒体の再生を禁止し、記録媒体の再生を許可するフラグが設定されている場合、記録媒体の再生を実行するとともに、記録媒体の再生中に、記録媒体の再生を禁止するフラグが設定されたとき、記録媒体の再生を停止し、記録媒体の再生が指令されたときに、記録媒体の再生を禁止するフラグが設定されている場合、記録媒体の再生が禁止されていることを表示するようにしているので、記録媒体の再生を制限して、ユーザに記録媒体の再生が禁止されていることを報知することができる。
【００５８】請求項２記載の考案に係るマルチ再生装置は、記録媒体の種類毎に再生を制限する再生制限情報を設定して、設定された記録媒体の種類毎の再生制限情報を記憶し、曜日／時刻情報と記憶されている記録媒体の種類毎の再生制限情報とに応じて記録媒体の種類毎の再生を制御するフラグを設定し、記録媒体の再生が指令されたとき、記録媒体の再生を制御するフラグに基づいて記録媒体の再生を制御し、記録媒体の再生が指令されたとき、記録媒体の再生を制御するフラグに応じて記録媒体の再生が制限されていることを表示するようにしているので、記録媒体の再生を制限して、ユーザに記録媒体の再生が制限されていることを報知することができる。
【００５９】請求項３記載の考案に係るマルチ再生装置は、記録媒体の種類毎に記録媒体の再生を禁止する曜日及び／又は時間帯を設定するようにしているので、記録媒体の再生を禁止する曜日及び／又は時間帯が少ない場合、ユーザが記録媒体の再生を禁止する曜日及び／又は時間帯を容易に設定することができる。
【００６０】請求項４記載の考案に係るマルチ再生装置は、記録媒体の種類毎に記録媒体の再生を許可する曜日及び／又は時間帯を設定するようにしているので、記録媒体の再生を許可する曜日及び／又は時間帯が少ない場合、ユーザが記録媒体の再生を許可する曜日及び／又は時間帯を容易に設定することができる。
【００６１】請求項５記載の考案に係るマルチ再生装置は、記録媒体の再生が指令されたとき、記録媒体の再生を禁止するフラグが設定されている場合、記録媒体の再生を禁止するようにしているので、記録媒体の再生を制限することができる。
【００６２】請求項６記載の考案に係るマルチ再生装置は、記録媒体の再生が指令されたとき、記録媒体の再生許可フラグが設定されている場合、記録媒体の再生を実行するようにしているので、記録媒体の再生を制限することができる。
【００６３】請求項７記載の考案に係るマルチ再生装置は、記録媒体の再生中に、記録媒体の再生を禁止するフラグが設定されたとき、記録媒体の再生を停止するようにしているので、記録媒体の再生を制限することができる。
【図面の簡単な説明】
【図１】本考案の実施の形態に係るマルチ再生装置の構成を示すブロック図である。
【図２】本考案の実施の形態に係るマルチ再生装置のリモコン装置を示す説明図である。
【図３】本考案の実施の形態に係るマルチ再生装置の設定画面の一表示例を示す図である。
【図４】本考案の実施の形態に係るマルチ再生装置の設定動作を示すフローチャートである。
【図５】本考案の実施の形態に係るマルチ再生装置の再生動作を示すフローチャートである。
【図６】本考案の実施の形態に係る他のマルチ再生装置の設定画面の一表示例を示す図である。
【図７】本考案の実施の形態に係る他のマルチ再生装置の設定動作を示すフローチャートである。
【図８】本考案の実施の形態に係る他のマルチ再生装置の再生動作を示すフローチャートである。
【符号の説明】
１０　マルチ再生装置
１１　記録媒体再生部
１２　ＯＳＤ回路
１３　カレンダ時計
１４　マイコン
１５　ＥＥＰＲＯＭ
１６　リモコン受信部
２０　リモコン装置
２０ａ　メニュキー
２０ｂ　カーソルキー
２０ｃ　決定キー
２０ｄ　テンキー
２０ｅ　再生キー
３０　モニタ装置
３０ａ　画面
【図１】
0003098619.tif 000003
【図２】
0003098619.tif 000004
【図３】
0003098619.tif 000005
【図４】
0003098619.tif 000006
【図５】
0003098619.tif 000007
【図６】
0003098619.tif 000008
【図７】
0003098619.tif 000009
【図８】
0003098619.tif 000010